(57)【要約】【課題】途中から電話会議に参加する者が、電話会議の進行状況を把握して、電話会議にうまく参加できるようにする。【解決手段】利用者Ａ、Ｂが電話器２４ａ、ｂにより電話会議を行なっている間に、利用者Ｃが電話器２４ｃにより電話会議に参加することを要求したとする。このとき、通話制御装置１０は利用者Ａ、Ｂが通話した内容を記録したものを再生して電話器２４ｃに送り、利用者Ｃに聞かせる。再生が終了すると、電話器２４ａ、ｂ、ｃが接続され、利用者Ａ、Ｂ、Ｃが電話会議を行なうことができる。利用者Ａ、Ｂが通話した内容を記録したものを再生したものを利用者Ｃは聞くことができる。よって、利用者Ｃは、利用者Ａ、Ｂによる電話会議の進行状況を把握してから、電話会議に参加できるので、電話会議にうまく参加できる。【選択図】  図６
2005033270.tif 000002
【特許請求の範囲】
【請求項１】
複数の電話器の間の通話内容を記録する通話内容記録手段と、
前記通話内容を再生する通話内容再生手段と、
前記通話内容再生手段により出力された再生通話内容を他の電話器に向けて送信する再生通話内容送信手段と、
前記再生通話内容の再生時点が、現時点から所定時間以内になった場合に、前記複数の電話器と前記他の電話器との間の接続を確立する接続確立手段と、
を備えた通話制御装置。
【請求項２】
請求項１に記載の通話制御装置であって、
前記接続確立手段は、前記再生通話内容の再生時点が現時点となった場合に、前記複数の電話器と前記他の電話器との間の接続を確立する、
通話制御装置。
【請求項３】
請求項１または２に記載の通話制御装置であって、
前記通話内容再生手段の再生速度は、前記複数の電話器の間で通話がなされている速度よりも大きい、
通話制御装置。
【請求項４】
請求項３に記載の通話制御装置であって、
前記通話内容再生手段の再生速度を、前記他の電話器から受けた信号に基づいて設定する再生設定手段、
を備えた通話制御装置。
【請求項５】
請求項４に記載の通話制御装置であって、
前記再生設定手段は、前記他の電話器から受けた信号に基づいて、前記通話内容再生手段が前記通話内容における再生時点を設定する、
通話制御装置。
【請求項６】
請求項１に記載の通話制御装置であって、
前記接続確立手段は、前記再生通話内容の再生時点が現時点から所定時間以内になるまでは、前記複数の電話器における現時点の通話内容を前記他の電話器に送る方向にのみ、前記複数の電話器と前記他の電話器との間の接続を確立する、
通話制御装置。
【請求項７】
請求項６に記載の通話制御装置であって、
前記他の電話器に、前記複数の電話器における現時点の通話内容および前記再生通話内容を同じスピーカから出力させる、
通話制御装置。
【請求項８】
請求項６に記載の通話制御装置であって、
前記他の電話器に、前記複数の電話器における現時点の通話内容および前記再生通話内容を異なったスピーカから出力させる、
通話制御装置。
【請求項９】
請求項１に記載の通話制御装置であって、
前記接続確立手段は、前記再生通話内容の再生時点が現時点から所定時間以内になるまでは、前記他の電話器の発話内容を前記複数の電話器に送る方向にのみ、前記複数の電話器と前記他の電話器との間の接続を確立する、
通話制御装置。
【請求項１０】
請求項６ないし９のいずれか一項に記載の通話制御装置であって、
前記接続確立手段の動作を、前記他の電話器から受けた信号に基づいて設定する接続態様設定手段、
を備えた通話制御装置。
【請求項１１】
請求項４に記載の通話制御装置であって、
前記再生設定手段は、前記他の電話器のボタン操作に基づいて前記通話内容再生手段の再生速度を設定し、
前記接続確立手段は、前記ボタン操作のＤＴＭＦ音を消音する、
通話制御装置。
【請求項１２】
請求項１０に記載の通話制御装置であって、
前記接続態様設定手段は、前記他の電話器のボタン操作に基づいて前記接続確立手段の動作を設定し、
前記接続確立手段は、前記ボタン操作のＤＴＭＦ音を消音する、
通話制御装置。
【請求項１３】
複数の電話器の間の通話内容を記録する通話内容記録工程と、
前記通話内容を再生する通話内容再生工程と、
前記通話内容再生工程により出力された再生通話内容を他の電話器に向けて送信する再生通話内容送信工程と、
前記再生通話内容の再生時点が、現時点から所定時間以内になった場合に、前記複数の電話器と前記他の電話器との間の接続を確立する接続確立工程と、
を備えた通話制御方法。
【請求項１４】
複数の電話器の間の通話内容を記録する通話内容記録処理と、
前記通話内容を再生する通話内容再生処理と、
前記通話内容再生処理により出力された再生通話内容を他の電話器に向けて送信する再生通話内容送信処理と、
前記再生通話内容の再生時点が、現時点から所定時間以内になった場合に、前記複数の電話器と前記他の電話器との間の接続を確立する接続確立処理と、
をコンピュータに実行させるためのプログラム。
【請求項１５】
複数の電話器の間の通話内容を記録する通話内容記録処理と、
前記通話内容を再生する通話内容再生処理と、
前記通話内容再生処理により出力された再生通話内容を他の電話器に向けて送信する再生通話内容送信処理と、
前記再生通話内容の再生時点が、現時点から所定時間以内になった場合に、前記複数の電話器と前記他の電話器との間の接続を確立する接続確立処理と、
をコンピュータに実行させるためのプログラムを記録したコンピュータによって読み取り可能な記録媒体。
【発明の詳細な説明】
【０００１】
【発明の属する技術分野】
本発明は、電話の通話制御に関する。
【０００２】
【従来の技術】
電話器を使用すれば一名の者が、他の一名の者と通話を行なうことができる。しかも、近年、三名以上の者が通話を行なえる電話会議システム（特許文献１を参照）が普及している。例えば、Ａ、Ｂ、Ｃといった三名の者の各々が、各々の有する電話器を使用して、他の二名と通話を行うことができる。このような通話形態を電話会議という。
【０００３】
ここで、電話会議に参加する者の内で、電話会議の開始に間に合わず、途中から電話会議に参加する者が生じることがある。例えば、Ａ、Ｂ、Ｃの三名で電話会議を行なう予定であったが、Ｃが電話会議の開始に間に合わず、Ａ、Ｂだけで電話会議を進行させることがある。この場合、Ｃは途中から電話会議に参加する。
【０００４】
【特許文献１】
特開平５−１４５６４５号公報（要約）
【発明が解決しようとする課題】
しかしながら、Ｃは、ＡおよびＢがこれまで何を話していたかがわからない。よって、Ｃは、電話会議の進行状況を把握しないまま電話会議に参加する。よって、Ｃは電話会議にうまく参加し難い。
【０００５】
そこで、本発明は、途中から電話会議に参加する者が、電話会議の進行状況を把握して、電話会議にうまく参加できるようにすることを課題とする。
【０００６】
【課題を解決するための手段】
請求項１に記載の発明は、複数の電話器の間の通話内容を記録する通話内容記録手段と、通話内容を再生する通話内容再生手段と、通話内容再生手段により出力された再生通話内容を他の電話器に向けて送信する再生通話内容送信手段と、再生通話内容の再生時点が、現時点から所定時間以内になった場合に、複数の電話器と他の電話器との間の接続を確立する接続確立手段とを備えるように構成される。
【０００７】
上記のように構成された発明によれば、通話内容記録手段は、複数の電話器の間の通話内容を記録する。通話内容再生手段は、通話内容を再生する。再生通話内容送信手段は、通話内容再生手段により出力された再生通話内容を他の電話器に向けて送信する。接続確立手段は、再生通話内容の再生時点が、現時点から所定時間以内になった場合に、複数の電話器と他の電話器との間の接続を確立する。
【０００８】
請求項２に記載の発明は、請求項１に記載の発明であって、接続確立手段は、再生通話内容の再生時点が現時点となった場合に、複数の電話器と他の電話器との間の接続を確立するように構成される。
【０００９】
請求項３に記載の発明は、請求項１または２に記載の発明であって、通話内容再生手段の再生速度は、複数の電話器の間で通話がなされている速度よりも大きいように構成される。
【００１０】
請求項４に記載の発明は、請求項３に記載の発明であって、通話内容再生手段の再生速度を、他の電話器から受けた信号に基づいて設定する再生設定手段を備えるように構成される。
【００１１】
請求項５に記載の発明は、請求項４に記載の発明であって、再生設定手段は、他の電話器から受けた信号に基づいて、通話内容再生手段が通話内容における再生時点を設定するように構成される。
【００１２】
請求項６に記載の発明は、請求項１に記載の発明であって、接続確立手段は、再生通話内容の再生時点が現時点から所定時間以内になるまでは、複数の電話器における現時点の通話内容を他の電話器に送る方向にのみ、複数の電話器と他の電話器との間の接続を確立するように構成される。
【００１３】
請求項７に記載の発明は、請求項６に記載の発明であって、他の電話器に、複数の電話器における現時点の通話内容および再生通話内容を同じスピーカから出力させるように構成される。
【００１４】
請求項８に記載の発明は、請求項６に記載の発明であって、他の電話器に、複数の電話器における現時点の通話内容および再生通話内容を異なったスピーカから出力させるように構成される。
【００１５】
請求項９に記載の発明は、請求項１に記載の発明であって、接続確立手段は、再生通話内容の再生時点が現時点から所定時間以内になるまでは、他の電話器の発話内容を複数の電話器に送る方向にのみ、複数の電話器と他の電話器との間の接続を確立するように構成される。
【００１６】
請求項１０に記載の発明は、請求項６ないし９のいずれか一項に記載の発明であって、接続確立手段の動作を、他の電話器から受けた信号に基づいて設定する接続態様設定手段を備えるように構成される。
【００１７】
請求項１１に記載の発明は、請求項４に記載の発明であって、再生設定手段は、他の電話器のボタン操作に基づいて通話内容再生手段の再生速度を設定し、接続確立手段は、ボタン操作のＤＴＭＦ音を消音するように構成される。
【００１８】
請求項１２に記載の発明は、請求項１０に記載の発明であって、接続態様設定手段は、他の電話器のボタン操作に基づいて接続確立手段の動作を設定し、接続確立手段は、ボタン操作のＤＴＭＦ音を消音するように構成される。
【００１９】
請求項１３に記載の発明は、複数の電話器の間の通話内容を記録する通話内容記録工程と、通話内容を再生する通話内容再生工程と、通話内容再生工程により出力された再生通話内容を他の電話器に向けて送信する再生通話内容送信工程と、再生通話内容の再生時点が、現時点から所定時間以内になった場合に、複数の電話器と他の電話器との間の接続を確立する接続確立工程とを備えるように構成される。
【００２０】
請求項１４に記載の発明は、複数の電話器の間の通話内容を記録する通話内容記録処理と、通話内容を再生する通話内容再生処理と、通話内容再生処理により出力された再生通話内容を他の電話器に向けて送信する再生通話内容送信処理と、再生通話内容の再生時点が、現時点から所定時間以内になった場合に、複数の電話器と他の電話器との間の接続を確立する接続確立処理とをコンピュータに実行させるためのプログラムである。
【００２１】
請求項１５に記載の発明は、複数の電話器の間の通話内容を記録する通話内容記録処理と、通話内容を再生する通話内容再生処理と、通話内容再生処理により出力された再生通話内容を他の電話器に向けて送信する再生通話内容送信処理と、再生通話内容の再生時点が、現時点から所定時間以内になった場合に、複数の電話器と他の電話器との間の接続を確立する接続確立処理とをコンピュータに実行させるためのプログラムを記録したコンピュータによって読み取り可能な記録媒体である。
【００２２】
【発明の実施の形態】
以下、本発明の実施の形態について図面を参照して説明する。
【００２３】
図１は、本発明の実施の形態にかかる通話制御装置１０が使用される通信システムを詳細に示したブロック図である。通信システムは、通話制御装置１０、電話器２４ａ、ｂ、ｃ、ＶｏＩＰ部３０、インターネット４０、電話網５０、モデム６０、ゲートウェイ７０を備える。
【００２４】
通話制御装置１０は、ＶｏＩＰ部３０を介して電話器２４ａに接続され、モデム６０を介してインターネット４０に接続される。
【００２５】
電話器２４ａは、利用者Ａが利用者Ｂ、Ｃとの電話会議を行なうための電話器である。電話器２４ａは利用者Ａの発する音声を音声信号に変換してＶｏＩＰ部３０に出力する。また、ＶｏＩＰ部３０から受けた音声信号を利用者Ａに向けて出力する。電話器２４ｂは、利用者Ｂが利用者Ａ、Ｃとの電話会議を行なうための電話器である。電話器２４ｂは利用者Ｂの発する音声を音声信号に変換して電話網５０に出力する。また、電話網５０から受けた音声信号を利用者Ｂに向けて出力する。電話器２４ｃは、利用者Ｃが利用者Ａ、Ｂとの電話会議を行なうための電話器である。電話器２４ｃは利用者Ｃの発する音声を音声信号に変換して電話網５０に出力する。また、電話網５０から受けた音声信号を利用者Ｃに向けて出力する。
【００２６】
ＶｏＩＰ（ｖｏｉｃｅ  ｏｖｅｒ  ＩＰ）部３０は、電話器２４ａから送られてくる音声信号を、インターネット４０によって伝送できるようなパケットデータに変換して、通話制御装置１０に出力する。また、通話制御装置１０が受信したパケットデータ（電話器２４ｂ、ｃが出力する音声信号に基づくものである）を、音声信号に変換して電話器２４ａに出力する。
【００２７】
インターネット４０は、通話制御装置１０、電話網５０を、モデム６０、ゲートウェイ７０を介して接続する。
【００２８】
電話網５０は、電話器２４ｂ、ｃをゲートウェイ７０を介してインターネット４０に接続する。
【００２９】
モデム６０は通話制御装置１０をインターネット４０に接続するためのものである。
【００３０】
ゲートウェイ７０は、インターネット４０と電話網５０とを接続する。インターネット４０からパケットデータを受けた場合は、音声信号に変換して、電話網５０に出力する。電話網５０から音声信号を受けた場合は、パケットデータに変換して、インターネット４０に出力する。
【００３１】
利用者Ａが発した音声は、電話器２４ａにより音声信号に変換され、ＶｏＩＰ部３０によりパケットデータに変換される。そして、通話制御装置１０、モデム６０、インターネット４０を介して、ゲートウェイ７０に送られる。ゲートウェイ７０は、パケットデータを音声信号に変換してから、電話網５０に送る。そして、電話器２４ｂ、ｃに音声信号が到達し、音声に変換されて利用者Ｂ、Ｃの耳に入る。
【００３２】
利用者Ｂ、Ｃが発した音声は、電話器２４ｂ、ｃにより音声信号に変換され、電話網５０を介して、ゲートウェイ７０に送られる。ゲートウェイ７０は、音声信号をパケットデータに変換してから、インターネット４０に送る。そして、パケットデータは、モデム６０、通話制御装置１０を介して、ＶｏＩＰ部３０に送られる。パケットデータは、ＶｏＩＰ部３０で音声信号に変換される。そして、電話器２４ａに音声信号が到達し、音声に変換されて利用者Ａの耳に入る。
【００３３】
利用者Ｂが発した音声は、電話器２４ｂにより音声信号に変換され、電話網５０を介して、ゲートウェイ７０に送られる。ゲートウェイ７０は、音声信号をパケットデータに変換してから、インターネット４０に送る。そして、パケットデータは、モデム６０を介して、通話制御装置１０に送られる。通話制御装置１０は、モデム６０、インターネット４０を介して、ゲートウェイ７０にパケットデータを送る。ゲートウェイ７０は、パケットデータを音声信号に変換してから、電話網５０に送る。電話網５０に送られた音声信号は、電話器２４ｃに到達し、音声に変換されて利用者Ｃの耳に入る。
【００３４】
利用者Ｃが発した音声は、電話器２４ｃにより音声信号に変換され、電話網５０を介して、ゲートウェイ７０に送られる。ゲートウェイ７０は、音声信号をパケットデータに変換してから、インターネット４０に送る。そして、パケットデータは、モデム６０を介して、通話制御装置１０に送られる。通話制御装置１０は、モデム６０、インターネット４０を介して、ゲートウェイ７０にパケットデータを送る。ゲートウェイ７０は、パケットデータを音声信号に変換してから、電話網５０に送る。電話網５０に送られた音声信号は、電話器２４ｂに到達し、音声に変換されて利用者Ｂの耳に入る。
【００３５】
図２は、本発明の実施形態にかかる通話制御装置１０の構成を示す機能ブロック図である。通話制御装置１０は、接続確立部１０２、接続態様設定部１０３、通話内容書込部１０４、通話内容記録部１０６、通話内容再生部１０８、再生通話内容送信部１０９、再生設定部１１０を備える。
【００３６】
接続確立部１０２は、電話器２４ａ、ｂ間の接続を確立する。これにより、利用者ＡおよびＢの間の通話が可能となる。さらに、電話器２４ｃ（利用者Ｃ）から電話器２４ａおよびｂへの接続要求（すなわち、電話会議への参加要求）があった場合、通話内容再生部１０８による利用者ＡおよびＢの間の通話内容の再生が終了した後に、電話器２４ａ、ｂ、ｃ間の接続を確立する。これにより、利用者Ａ、ＢおよびＣの間の通話が可能となる。なお、接続確立部１０２は、電話器２４ｃから電話器２４ａおよびｂへの接続要求を受けると、通話内容再生部１０８に通話内容の再生を開始すべき旨を示す信号を送る。
【００３７】
電話器２４ａからの音声信号は、ＶｏＩＰ部３０によりパケットデータに変換され、接続確立部１０２を経由して、モデム６０に送られる。そして、電話器２４ｂ、ｃに向かう。電話器２４ｂ、ｃからの音声信号はパケットデータに変換され、モデム６０を通過し、さらに接続確立部１０２を経由して、ＶｏＩＰ部３０に送られる。そして、音声信号に変換されて電話器２４ａに向かう。
【００３８】
なお、通話内容再生部１０８による通話内容の再生中に、電話器２４ａ、ｂ間の現時点の通話内容を電話器２４ｃに向けて送信する方向にのみ、電話器２４ａ、ｂと、電話器２４ｃとの間の接続を確立してもよい。
【００３９】
また、通話内容再生部１０８による通話内容の再生中に、電話器２４ｃの発話内容（利用者Ｃが発する音声）を電話器２４ａ、ｂに向けて送信する方向にのみ、電話器２４ａ、ｂと、電話器２４ｃとの間の接続を確立してもよい。
【００４０】
このように、接続確立部１０２は、通話内容再生部１０８による通話内容の再生中には、（１）電話器２４ａ、ｂと電話器２４ｃとの接続を確立しない、（２）電話器２４ａ、ｂ間の現時点の通話内容を電話器２４ｃに向けて送信する、（３）電話器２４ｃの発話内容を電話器２４ａ、ｂに向けて送信する、の三種類の動作をとることが可能である。
【００４１】
接続態様設定部１０３は、接続確立部１０２が、通話内容再生部１０８による通話内容の再生中にとることができる三種類の動作（（１）〜（３））の内、どれを選択するかを設定する。接続態様設定部１０３は、電話器２４ｃからモデム６０を介して受けた信号に基づき、接続確立部１０２が三種類の動作（（１）〜（３））のいずれを行なうかを設定する。
【００４２】
電話器２４ｃは、接続確立部１０２の三種類の動作のいずれを選択するかを指示する信号を出力する。出力される信号は、電話器２４ｃのボタン操作により決定される。例えば、電話器２４ｃのボタン“＃”を押してから、ボタン“１”を押す（以後、ボタン“＃１”を押すと記載する）と動作（１）を、電話器２４ｃのボタン“＃２”を押すと動作（２）を、電話器２４ｃのボタン“＃３”を押すと動作（３）を、接続態様設定部１０３が接続確立部１０２に行なわせるようにする。ここで、電話器２４ｃにディスプレイを備え、どのボタンを押すと、どのような動作を設定できるかを表示しておくことが好ましい。
【００４３】
なお、ボタンを押すことによりＤＴＭＦ音が発生するため、電話器２４ｃから、接続確立部１０２を経由して、電話器２４ａにＤＴＭＦ音が到達することになる。しかし、ＤＴＭＦ音を利用者Ａに聞かせてもさほど意味が無いため、ＤＴＭＦ音を接続確立部１０２により消音して、電話器２４ａにＤＴＭＦ音が到達しないようにすることが好ましい。
【００４４】
通話内容書込部１０４は、接続確立部１０２を経由する電話器２４ａ、ｂの間の通話（利用者ＡおよびＢの間の通話）のパケットデータを、接続確立部１０２から取得して、通話内容記録部１０６に書き込む。
【００４５】
通話内容記録部１０６は、通話内容書込部１０４から電話器２４ａ、ｂの間の通話（利用者ＡおよびＢの間の通話）の内容を示すパケットデータを記録する。
【００４６】
通話内容再生部１０８は、接続確立部１０２から通話内容の再生を開始すべき旨を示す信号を受けると、通話内容記録部１０６に記録された電話器２４ａ、ｂの間の通話内容を再生する。再生速度は、電話器２４ａ、ｂの間の通話の速度よりも大きいことが好ましい。再生された通話内容（再生通話内容）は、再生通話内容送信部１０９に送られる。
【００４７】
再生速度について図３を参照して説明する。図３（ａ）に示すように、電話器２４ａ、ｂの間の通話が、通話内容記録部１０６に１０分間だけ記録されているとする。ここで、通話内容再生部１０８が再生を開始したとする。再生を開始した時刻を０分とする。また、通話内容における再生を開始する時点は、電話器２４ａ、ｂの間の通話内容を全て聞くために、−１０分とする。ここで、再生速度を倍速にする。すなわち、１分間で、２分間の通話内容を再生するものとする。
【００４８】
時刻が＋５分になった時は、図３（ｂ）に示すように、再生速度が倍速なので、１０分間の通話内容を再生できるため、再生通話内容は０分の時点の通話内容である。通話内容記録部１０６には、さらに５分間の通話内容が記録される。よって、再生通話内容が電話器２４ａ、ｂの間で通話された時点（再生時点）（０分）は現時点（＋５分）から５分前ということになる。
【００４９】
図３（ｃ）に示すように、時刻が＋１０分になった時に、再生速度が倍速なので、２０分間の通話内容を再生できるため、再生通話内容は＋１０分の時点の通話内容である。通話内容記録部１０６には、０分の時点からさらに１０分間の通話内容が記録される。よって、再生通話内容が電話器２４ａ、ｂの間で通話された時点（再生時点）（＋１０分）は現時点（＋１０分）と一致することになる。
【００５０】
図３に示す例のように、通話内容再生部１０８の再生速度が、電話器２４ａ、ｂの間の通話の速度よりも大きければ、再生通話内容が電話器２４ａ、ｂの間で通話された時点（再生時点）が現時点と一致する。これは、再生通話内容が、現時点の通話内容に追いついたことを意味する。この場合、通話内容再生部１０８は、再生を終了する。再生を終了すると、通話内容再生部１０８は、再生が終了した旨の信号を接続確立部１０２に送る。
【００５１】
なお、実際には、電話器２４ａ、ｂの間で通話が行なわれてから、その内容が記録され、さらに再生が可能になるまでには若干のタイムラグが発生することがある。よって、再生通話内容が電話器２４ａ、ｂの間で通話された時点（再生時点）が、現時点に一致しない場合がある。この場合は、再生通話内容が電話器２４ａ、ｂの間で通話された時点（再生時点）が、現時点からやや前（若干のタイムラグ程度）であっても、再生を終了するようにするとよい。
【００５２】
例えば、図３（ｄ）に示すように、再生時点が現時点から所定時間以内になっっていれば、再生時点が現時点と一致していなくても、再生を終了するようにするとよい。
【００５３】
再生通話内容送信部１０９は、通話内容再生部１０８から再生通話内容を受けて、モデム６０を介し、電話器２４ｃに送る。なお、接続確立部１０２が、通話内容再生部１０８による通話内容の再生中に、“（２）電話器２４ａ、ｂ間の現時点の通話内容を電話器２４ｃに向けて送信する”、という動作をとっている場合の動作を説明する。ただし、電話器２４ｃは、電話器２４ａ、ｂ間の現時点の通話内容をスピーカＸにより音声として出力しているものとする。この場合、再生通話内容送信部１０９は、再生通話内容を、スピーカＸから音声として出力させるようにしてもよい。あるいは、電話器２４ｃが、スピーカＸとは別にスピーカＹを有している場合は（いわゆる、ステレオ方式）、再生通話内容送信部１０９は、再生通話内容を、スピーカＹから音声として出力させるようにしてもよい。
【００５４】
再生設定部１１０は、通話内容再生部１０８の再生速度および通話内容における再生時点を、電話器２４ｃからモデム６０を介して受けた信号に基づき、設定する。
【００５５】
なお、通話内容における再生時点について図４を参照して説明する。電話器２４ａ、ｂの間の通話が、通話内容記録部１０６に１０分間だけ記録されているとする。ここで、通話内容再生部１０８が再生を開始したとする。再生を開始した時刻を０分とする。図４（ａ）に示すように、通話内容における再生を開始する時点は、電話器２４ａ、ｂの間の通話内容を全て聞くために、−１０分としてもよい。また、図４（ｂ）に示すように、通話内容における再生を開始する時点を、−５分としてもよい。電話器２４ａ、ｂの間の通話内容を全て聞くことはできないが、再生通話内容が、現時点の通話内容に追いつくまでの時間を短縮できる。
【００５６】
なお、再生を開始する時点を例に挙げて説明したが、再生中に再生する時点（再生時点）を変更してもよい。例えば、通話内容における再生を開始する時点を−１０分とし、１分間の再生を行うと、通話内容における再生の時点（再生通話内容が電話器２４ａ、ｂの間で通話された時点（再生時点））は−８分となる。ここで、通話内容における再生の時点を−５分に変更できるようにする。いわゆる、早送りである。
【００５７】
また、通話内容における再生を開始する時点を−５分とし、１分間の再生を行うと、通話内容における再生の時点（再生通話内容が電話器２４ａ、ｂの間で通話された時点（再生時点））は−３分となる。ここで、通話内容における再生の時点を−１０分に変更できるようにする。いわゆる、巻き戻しである。
【００５８】
電話器２４ｃは、通話内容再生部１０８の再生速度および通話内容における再生時点を指示する信号を出力する。出力される信号は、電話器２４ｃのボタン操作により決定される。ここで、電話器２４ｃにディスプレイを備え、どのボタンを押すと、どのような動作を設定できるかを表示しておくことが好ましい。
【００５９】
なお、ボタンを押すことによりＤＴＭＦ音が発生するため、電話器２４ｃから、接続確立部１０２を経由して、電話器２４ａにＤＴＭＦ音が到達することになる。しかし、ＤＴＭＦ音を利用者Ａに聞かせてもさほど意味が無いため、ＤＴＭＦ音を接続確立部１０２により消音して、電話器２４ａにＤＴＭＦ音が到達しないようにすることが好ましい。
【００６０】
次に、本発明の実施形態の動作を説明する。
【００６１】
図５は、本発明の実施形態の動作を示すフローチャートである。図６は、電話器２４ａ、ｂ、ｃ間の接続状況を示す図である。ただし、図６においては、電話器２４ａ、ｂ、ｃ間にあるＶｏＩＰ部３０、モデム６０、インターネット４０、ゲートウェイ７０、電話網５０は図示省略している。
【００６２】
まず、接続確立部１０２は、電話器２４ａ、ｂ間の接続を確立する。これにより、利用者ＡおよびＢの間の電話会議が可能となる（Ｓ１０）。ここで、電話器２４ｃ（利用者Ｃ）から電話器２４ａおよびｂへの接続要求（すなわち、電話会議への参加要求）がなされる（Ｓ１２）。電話器２４ａ、ｂ、ｃ間の接続状況は図６（ａ）に示すようなものである。
【００６３】
接続要求は、電話器２４ｃから、電話網５０、ゲートウェイ７０、インターネット４０およびモデム６０を介して、通話制御装置１０の接続確立部１０２に送られる。接続確立部１０２は、電話器２４ｃから電話器２４ａおよびｂへの接続要求を受けると、通話内容再生部１０８に通話内容の再生を開始すべき旨を示す信号を送る（Ｓ１４）。そして、通話内容再生部１０８は、通話内容記録部１０６に記録された電話器２４ａ、ｂの間の通話内容を再生する（Ｓ１６）。電話器２４ａ、ｂ、ｃ間の接続状況は図６（ｂ）に示すようなものである。
【００６４】
再生通話内容が電話器２４ａ、ｂの間で通話された時点（再生時点）が、現時点と一致するか、あるいは、現時点からやや前（若干のタイムラグ程度）になれば、再生を終了する。そして、再生を終了する旨を示す信号が、通話内容再生部１０８から接続確立部１０２に送られる。接続確立部１０２は、この信号を受けると、電話器２４ａ、ｂ、ｃ間の接続を確立する。これにより、利用者Ａ、ＢおよびＣの間の電話会議が可能となる（Ｓ１８）。電話器２４ａ、ｂ、ｃ間の接続状況は図６（ｃ）に示すようなものである。
【００６５】
なお、図６（ｂ）に示した接続状況は、接続確立部１０２が、通話内容再生部１０８による通話内容の再生中に、“（１）電話器２４ａ、ｂと電話器２４ｃとの接続を確立しない”、という動作をとった場合のものである。
【００６６】
接続確立部１０２が、通話内容再生部１０８による通話内容の再生中に、“（２）電話器２４ａ、ｂ間の現時点の通話内容を電話器２４ｃに向けて送信する”、という動作をとった場合は、電話器２４ａ、ｂ、ｃ間の接続状況は図７（ａ）に示すようなものである。
【００６７】
接続確立部１０２が、通話内容再生部１０８による通話内容の再生中に、“（３）電話器２４ｃの発話内容を電話器２４ａ、ｂに向けて送信する”、という動作をとった場合は、電話器２４ａ、ｂ、ｃ間の接続状況は図７（ｂ）に示すようなものである。
【００６８】
本発明の実施形態によれば、利用者ＡおよびＢが電話会議で通話した内容を、通話内容再生部１０８が再生して、再生通話内容送信部１０９を介して、電話器２４ｃに送る。これにより、利用者Ｃは、利用者ＡおよびＢが電話会議で通話した内容を聞くことができる。よって、開始当初には利用者ＡおよびＢが参加していた電話会議に利用者Ｃが途中から参加した場合でも、すでに利用者ＡおよびＢが電話会議で通話した内容を聞くことができるため、電話会議の進行状況を把握して、電話会議にうまく参加できる。
【００６９】
しかも、利用者ＡおよびＢが電話会議で通話した内容の再生は、再生通話内容が現時点の通話内容に追いつけば終了する。そして、接続確立部１０２が電話器２４ａ、ｂ、ｃ間の接続を確立する。よって、利用者Ｃが、利用者ＡおよびＢが電話会議で通話した内容を聞き終えれば、自動的に電話会議に参加できる。
【００７０】
さらに、通話内容再生部１０８の再生速度は、利用者ＡおよびＢの電話会議における通話内容の速度よりも大きいため、再生通話内容が現時点の通話内容に追いつくことができる。
【００７１】
しかも、接続確立部１０２は、通話内容再生部１０８による通話内容の再生中には、（１）電話器２４ａ、ｂと電話器２４ｃとの接続を確立しない、という動作の他に、（２）電話器２４ａ、ｂ間の現時点の通話内容を電話器２４ｃに向けて送信する、（３）電話器２４ｃの発話内容を電話器２４ａ、ｂに向けて送信する、といった動作をとることが可能である。
【００７２】
これにより、通話内容の再生中であっても、（２）あるいは（３）の動作を接続確立部１０２にとらせれば、部分的に電話会議への参加が可能である。
【００７３】
さらに、（２）の動作を接続確立部１０２にとらせた場合に、電話器２４ｃが電話器２４ａ、ｂ間の現時点の通話内容をスピーカＸにより音声として出力し、再生通話内容をスピーカＹにより音声として出力すれば、両者を聞き分けることが容易になる。
【００７４】
しかも、電話器２４ｃのボタンを押すことにより発生するＤＴＭＦ音を、接続確立部１０２が消音するので、電話器２４ａを利用する利用者Ａが無益なＤＴＭＦ音を聞かなくてもよい。
【００７５】
なお、上記の実施形態において、ＣＰＵ、ハードディスク、メディア（フロッピーディスク、ＣＤ−ＲＯＭなど）読み取り装置を備えたコンピュータのメディア読み取り装置に、上記の各部分を実現するプログラムを記録したメディアを読み取らせて、ハードディスクにインストールする。このような方法でも、通話制御装置１０を実現できる。
【図面の簡単な説明】
【図１】本発明の実施の形態にかかる通話制御装置１０が使用される通信システムを詳細に示したブロック図である。
【図２】本発明の実施形態にかかる通話制御装置１０の構成を示す機能ブロック図である。
【図３】通話内容記録部１０６の記録内容および通話内容再生部１０８による再生通話内容を示す図であり、再生開始時（０分）の状態（図３（ａ））、再生開始時から５分たった時（＋５分）の状態（図３（ｂ））、再生開始時から１０分たった時（＋１０分）の状態（図３（ｃ））、再生時点が現時点から所定時間以内になった時の状態（図３（ｄ））を示す図である。
【図４】再生開始時における通話内容記録部１０６の記録内容および通話内容再生部１０８による再生通話内容を示す図であり、再生通話内容における再生開始時点が−１０分である場合（図４（ａ））、−５分である場合（図４（ｂ））を示す図である。
【図５】本発明の実施形態の動作を示すフローチャートである。
【図６】電話器２４ａ、ｂ、ｃ間の接続状況を示す図であり、利用者Ｃからの電話会議の参加要求があった時の接続状況（図６（ａ））、利用者Ｃに利用者Ａ、Ｂ間の通話内容の再生を聞かせている時の接続状況（図６（ｂ））、利用者Ｃが電話会議に参加している時の接続状況（図６（ｃ））を示す図である。
【図７】電話器２４ａ、ｂ、ｃ間の接続状況の変形例を示す図であり、電話器２４ａ、ｂ間の現時点の通話内容を電話器２４ｃに向けて送信する（図７（ａ））、電話器２４ｃの発話内容を電話器２４ａ、ｂに向けて送信する（図７（ｂ））状態を示す図である。
【符号の説明】
１０  通話制御装置
１０２  接続確立部
１０３  接続態様設定部
１０４  通話内容書込部
１０６  通話内容記録部
１０８  通話内容再生部
１０９  再生通話内容送信部
１１０  再生設定部
２４ａ、ｂ、ｃ  電話器
３０  ＶｏＩＰ部
４０  インターネット
５０  電話網
６０  モデム
７０  ゲートウェイ
【図１】
2005033270.tif 000003
【図２】
2005033270.tif 000004
【図３】
2005033270.tif 000005
【図４】
2005033270.tif 000006
【図５】
2005033270.tif 000007
【図６】
2005033270.tif 000008
【図７】
2005033270.tif 000009